(57)【要約】【課題】検査または治療に関する費用の少なくとも一部の捕捉を簡単に可能にする。【解決手段】患者検査および／または患者治療あるいは後に続く検査情報および／または治療情報の処理および文書化の枠内において異なる患者に関する機械活動、特に画像撮影、画像評価および画像記憶の内の少なくとも１つを実施するように構成された医学的検査および／または治療装置（１，３）において、医学的検査および／または治療装置（１，３）は、費用に関し第三者に対して清算可能な活動の開始および終了を、活動の開始および終了を表示し機械活動の開始および終了検出装置（５）から得られるトリガ信号に基づいて自動的に検出し、活動終了の検出後に記憶装置（７）に格納された機械活動に対する費用情報に基づいて活動固有の費用を計算し、モニタ（４）に費用を出力するように構成されている。【選択図】図２
2005293588.tif 000002
【特許請求の範囲】
【請求項１】
患者検査および／または患者治療あるいは後に続く検査情報および／または治療情報の処理および文書化の枠内において異なる患者に関する機械活動、特に画像撮影、画像評価および画像記憶の内の少なくとも１つを実施するように構成された医学的検査および／または治療装置（１，３）において、
医学的検査および／または治療装置（１，３）は、費用に関し第三者に対して清算可能な活動の開始および終了を、活動の開始および終了を表示し機械活動の開始および終了検出装置（５）から得られるトリガ信号に基づいて自動的に検出し、活動終了の検出後に記憶装置（７）に格納された機械活動に対する費用情報に基づいて活動固有の費用を自動的に計算し、モニタ（４）に費用を出力するように構成されていることを特徴とする医学的検査および／または治療装置。
【請求項２】
医学的検査および／または治療装置（１，３）は、同時または相前後して経過する複数の活動を捕捉し、複数の活動固有の費用を計算し、個別費用の累積を出力しおよび／または総費用データを出力するように構成されていることを特徴とする請求項１記載の医学的検査および／または治療装置。
【請求項３】
医学的検査および／または治療装置（１，３）は、該当の機械活動の捕捉の際に機械活動に関係して規則的に実施された非機械活動、特に操作者によって手動で実施された活動を捕捉し、これらの費用を出力するように構成されていることを特徴とする請求項１又は２記載の医学的検査および／または治療装置。
【請求項４】
医学的検査および／または治療装置（１，３）は、機械活動の捕捉の際に、並行しておよび／または後に続いて実施される機械的および／または非機械的な種類の他の活動に対する情報を出力し、活動固有の費用をメニュー表示に従って指示するように構成されていることを特徴とする請求項１乃至３の１つに記載の医学的検査および／または治療装置。
【請求項５】
メニュー表示において指示される非機械活動は使用者側で選択可能であり、医学的検査および／または治療装置（１，３）は選択に依存して費用捕捉を行なうように構成されていることを特徴とする請求項４記載の医学的検査および／または治療装置。
【請求項６】
メニュー表示において、全ての非機械活動が実施されたものとして明示され、使用者側で選択の枠内で実施されなかったまたは実施されるべきでない非機械活動が選択されるか、または全ての非機械活動が実施されなかったものとして明示され、使用者側で選択の枠内で実施されたまたは実施されるべき非機械活動が選択されることを特徴とする請求項５記載の医学的検査および／または治療装置。
【請求項７】
医学的検査および／または治療装置（１，３）は、特にメニュー表示の枠内において、機械活動または非機械活動の枠内で使用されたまたは使用される消費材に対する他の使用者側で選択可能な情報を出力し、固有の費用の指示および選択に依存した費用捕捉を行なうように構成されていることを特徴とする請求項１乃至６の１つに記載の医学的検査および／または治療装置。
【請求項８】
医学的検査および／または治療装置（１，３）は、特にメニュー表示の枠内において、検査および／または治療上重要な作業に関する他の使用者側で選択可能な情報を出力し、固有の費用の指示および選択に依存した費用捕捉を行なうように構成されていることを特徴とする請求項１乃至７の１つに記載の医学的検査および／または治療装置。
【請求項９】
医学的検査および／または治療装置（１，３）は、特にメニュー表示の枠内において、非機械的に実施された活動、消費材、あるいはその他の検査および／または治療上重要な作業に対する使用者側で入力可能な情報を捕捉し、装置側に格納されたまたは使用者側で入力可能である情報固有の費用を捕捉し処理し指示するように構成されていることを特徴とする請求項１乃至８の１つに記載の医学的検査および／または治療装置。
【発明の詳細な説明】
【技術分野】
【０００１】
本発明は、患者検査および／または患者治療あるいは後に続く検査情報および／または治療情報の処理および文書化の枠内において異なる患者に関する機械活動、特に画像撮影、画像評価および画像記憶の内の少なくとも１つを実施するように構成された医学的検査および／または治療装置に関する。
【背景技術】
【０００２】
冒頭に述べた医学的検査および／または治療装置は種々の事例において公知である。これには、例えば磁気共鳴装置、コンピュータ断層撮影装置、Ｘ線装置あるいは超音波装置が挙げられる。これらの全てが患者検査および／または患者治療の枠内において検査対象の画像撮影に役立つ。撮影された画像は定められた画像情報を自動的に求めるために評価することができる。それらの画像情報は記憶することができ、例えば個別に取出し可能な記憶媒体等に記憶させることができる。従って、医学的検査および／または治療装置の種類および構成形態に応じて、検査または治療または後続の処理または文書化の枠内において多かれ少なかれ種々の機械活動が行なわれ得る。
【０００３】
このような医学的検査および／または治療装置をできるだけ効率的に利用できるようにするために、計算可能な費用、つまり検査／治療の時間にも関係し検査／治療の枠内で患者に付け替え可能であるどのような費用が発生するかを捕捉するためのできるだけ十分な費用明瞭性が望まれる。一般に費用捕捉は、医師または医療技術従事者が費用上重要などのような活動が行なわれたかを記録し、引続いてこの一覧リストに基づいて検査または治療費用を計算することによってほぼ手作業で行なわれる。これは手間がかかり結局は誤りを含み、患者にも医師または装置操作者にも十分な費用明瞭性をもたらさない。まさに「保健衛生機関における効率向上」という環境において、操作者にとってこの費用明瞭性は節約可能性の認識のために是非必要である。
【０００４】
同じような型の多数の装置からの１つの装置の利用性を比較する方法において、装置の個別的な利用統計が自動的に作成され、そのために機器または技術設備である装置が使用されたもしくは予約されたまたは活動状態にされた時間が検出されることは公知である（特許文献１参照）。同様に、装置の経済的評価方法において、装置の規定にしたがった利用を記述するためのデータとして、装置が使用される時間に関するデータを捕捉することは公知である（特許文献２参照）。
【０００５】
歯科医療の検査または治療を実施するための医学的治療装置において、治療装置をユーザインターフェースおよび場合によっては言語入力ユニットを介して操作することは公知である（特許文献３参照）。これに加えて、管理コンピュータに結合され、管理コンピュータには歯科医によってマイクロフォンを介して指示された供給パワーが伝達される。治療プランおよび費用プランはドラッグアンドドロップ機能によって書き込むことができる。自動的に医療費用を計算する医用出納計算記帳機が公知であり、これにおいては入力装置により例えば医療部門または保険種類のような種々のデータが入力される（特許文献４参照）。同様に、治療のためのデータが入力されて登録される。登録された内容はここでも記憶され累積される。
【特許文献１】独国特許出願公開第１０１１８７４７号明細書
【特許文献２】独国特許出願公開第１０１２８２６１号明細書
【特許文献３】独国実用新案出願公開第２９８２２２１９号明細書
【特許文献４】西独特許出願公開第３６１２１５８号明細書
【発明の開示】
【発明が解決しようとする課題】
【０００６】
本発明の課題は、検査または治療に関する費用の少なくとも一部の捕捉を簡単に可能にする冒頭に述べた医学的検査および／または治療装置を提供することにある。
【課題を解決するための手段】
【０００７】
この課題の解決のために、冒頭に述べた医学的検査および／または治療装置において、本発明に従って、医学的検査および／または治療装置は、費用に関し第三者に対して清算可能な活動の開始および終了を、活動の開始および終了を表示し機械活動の開始および終了検出装置から得られるトリガ信号に基づいて自動的に検出し、活動終了の検出後に記憶装置に格納された機械活動に対する費用情報に基づいて活動固有の費用を自動的に計算し、モニタに費用を出力するように構成されている。
【０００８】
本発明による医学的検査および／または治療装置は、完全に実施された、すなわち中断されなかった機械活動を捕捉し、その捕捉時点を活動に関する費用計算のためのほぼ作動開始時点として処理することができる。自動的な活動捕捉は直接的な費用捕捉を可能にし、しかも、進行中の検査／治療の枠内において発生する機械活動に関連した費用を連続的に出力するために、医師および操作者と同様に患者が直接に相応の費用情報を利用できる可能性を提供する。適切な記憶装置内に、医学的検査および／または治療装置側で実施可能な種々の機械活動に対する相応の費用情報が格納されている。機械活動は活動の開始および終了を示す相応のトリガ信号に基づいて検出される。例えば磁気共鳴装置の場合、例えば画像撮影のための測定開始は費用上重要な活動「画像撮影」のための作動開始トリガ入力であり、撮影終了はほぼ最終のトリガ瞬間であり、これに基づいて撮影が規則どおりに終了したこと、すなわち中断されなかったことが医学的検査および／または治療装置側で認識される。この情報が存在するや否や、対応する費用記入が記憶媒体から読出され、使用者または患者に示される。
【０００９】
機械活動は、既述のように、医学的検査および／または治療装置側で自動的に機械的に実施される任意の活動である。問題にしている医学的検査および／または治療装置の主要特性は種類の異なる検査範囲画像の撮影であるので、機械活動は第一に画像撮影に関する活動である。これは、例えば磁気共鳴装置またはコンピュータ断層撮影装置の枠内において一回かぎり撮影された画像であってよいが、しかし、例えばＸ線監視下でカテーテル移動の監視をするＸ線装置におけるような連続的な画像支援監視作業であってもよい。その場合に、医学的検査および／または治療装置は、自ら、実施された機械活動の種類または品質を捕捉することができ、すなわち医学的検査および／または治療装置は自身で、自身が今どの活動を具体的に実施するかを認識し、それに基づいてその後相応の活動固有の費用が計算される。
【００１０】
清算可能な活動のできるだけ完全な捕捉およびそれから生じる発生費用のできるだけ完全な捕捉を可能にするために、医学的検査および／または治療装置は、本発明によれば、同時または相前後して経過する複数の活動を捕捉し、複数の活動固有の費用を計算し、個別費用の累積を出力しおよび／または総費用データを出力するように構成されている。すなわち、任意の多数の異なる機械活動は、それが実施されたのであれば捕捉されるので、連続的な費用捕捉および出力が可能である。この場合に個々の活動およびそれぞれに割り付けられた活動固有の費用が個別に且つ累積して共通に示されるので、医師または患者にとって、どの具体的な機械活動が行なわれて検出され、個別の活動費用がいくらであるかが明らかである。代替としてまたは追加として連続的に合わせられる総額費用データの計算も可能であり、これは勿論、各付加的な作業にともなって相応に変化する。
【００１１】
本発明の特に望ましい実施態様によれば、医学的検査および／または治療装置は、該当の機械活動の捕捉の際に機械活動に関係して規則的に実施された非機械活動、特に操作者によって手動で実施された活動を捕捉し、これらの費用を出力するように構成されている。これの基礎をなす認識は、さまざまの機械活動にとって、例えば医師による特定の非機械活動が、機械活動の実施前、機械活動の実施中または機械活動の実施後に強制的にまたは高い確率で必要であるという認識である。このような活動として、例えば、特定の機械活動、つまり画像撮影の特定の種類などにとって必要である特定の薬の必然的な投与を挙げることができる。１つ又は複数の造影剤分量の投与、画像撮影に必要な特定の検査剤または治療剤の患者への位置決め、場合によっては特定の検査種類のために患者を正しく位置決めするための患者位置変更なども考えられ得る。医学的検査および／または治療装置は、今や本発明によれば、このようなほぼ強制的な並行作業が付属している機械活動について、捕捉されたもしくは認識された機械活動の活動費用に追加して相応の作業または活動固有の費用を自動的に捕捉することができ、しかも、その自動捕捉は、機械活動の終了後に、すなわち機械活動が実際にも実施されたことが確実になったときに行なわれる。
【００１２】
しかしながら、一般には特にこの関係において、医学的検査および／または治療装置は、機械活動の捕捉の際に、並行しておよび／または後に続いて実施される機械的および／または非機械的な種類の他の活動に対する情報を出力し、活動固有の費用をメニュー表示に従って指示するように構成されていると望ましい。医師には、メニュー表示の様式に基づいて、機械的または非機械的な種類の他の任意の活動の一種「チェックリスト」が与えられるので、医師は一方では相応の作業が、機械的種類であれば医学的検査および／または治療装置自体によって実施され、非機械的種類であれば例えば医師によって実施されたかどうかをチェックすることができ、そしてどの作業がまだ実施されるべきであるかをチェックすることができる。捕捉された機械活動および場合によってはあり得る将来の機械活動に対する発生費用は、相応のトリガ信号に基づいて機械活動の実際の実施および中断されなかった終了が検出されるときにのみ考慮される。非機械的費用は、あらゆる場合に行なわれことが想定される必然的に実施される作業であるかぎり、自動的に設定され、しかもその自動設定は事前の機械活動が終了していることが確定したときにのみ行なわれる。しかしながら、設定は、該当する機械活動の開始が検出されたが、しかし機械活動は中断された場合にも考えられ得る。なぜならば、例えば画像撮影が何らかでたとえ中断されたとしても、それにもかかわらず非機械活動が行なわれたためである。
【００１３】
メニュー表示において指示される非機械活動は使用者側で選択可能であり、医学的検査および／または治療装置は選択に依存して費用捕捉を行なうように構成されていることが望ましい。従って、本発明によるこの実施態様によれば、終了した機械活動に割り付けられている非機械活動の費用の考慮は必然的には行なわれず、寧ろどの非機械活動が今実際に行なわれたか、あるいはそれにより清算可能であるかを選択することが医師の役目である。これはメニュー表示において行なわれると望ましく、勿論、活動または費用に関するあらゆる種類の全ての情報が適切なモニタ等に表示される。
【００１４】
活動選択の枠内において２つの異なる選択メカニズムが考えられ得る。これに関する本発明の第１の実施態様によれば、メニュー表示において、全ての非機械活動が実施されたものとして明示され、使用者側で選択の枠内で実施されなかったまたは実施されるべきでない非機械活動が選択される。すなわち、基本的に全ての非機械活動の費用的考慮が行なわれ、医師は、実施されなかったまたは実施されない、従って考慮されるべきでない活動を能動的に特定しなければならない。第２の実施態様によれば、逆の手続きにすることもできる。すなわち、全ての非機械活動が実施されなかったものとして明示され、寧ろ単に指示されているだけであり、使用者側で選択の枠内で実施されたまたは実施されるべき非機械活動が能動的に選択される。すなわち、医師は何がなされたかまたはなされるべきかを指示し、医師によって能動的に選択された活動のみが費用計算上考慮される。選択は制御マウスおよびモニタにおけるカーソルのような通常の入力手段を用いてメニュー表示内で行なうと望ましい。
【００１５】
更に、本発明思想の望ましい実施態様においては、医学的検査および／または治療装置は、特にメニュー表示の枠内において、機械活動または非機械活動の枠内で使用されたまたは使用される消費材に対する他の使用者側で選択可能な情報を出力し、固有の費用の指示および選択に依存した費用捕捉を行なうように構成されている。これは、医師に対して、特に医師に既述の活動に関する費用明瞭性を提供するニュー表示の枠内において、費用計算の視点で重要である他の情報を選択することを可能にする。この関係において、例えば包帯材料、患者寝台テーブル用の敷紙、場合によってはあり得る患者用の特別着衣、耳栓などのような消耗品が挙げられる。この場合にも、選択可能な消費材の相応のリストは、定められた機械作業が捕捉された際に医師に自動的に与えられるか、または医師が相応の情報を入力した際に医師によって呼び出し可能であると望ましい。
【００１６】
更に、医学的検査および／または治療装置は、特にメニュー表示の枠内において、検査および／または治療上重要な作業に関する他の使用者側で選択可能な情報を出力し、固有の費用の指示および選択に依存した費用捕捉を行なうように構成されていることが考えられ得る。すなわち。医学的検査および／または治療装置の構成に応じて、何らかで費用上重要である他の重要な作業を実施可能にしようとする場合、この作業は医学的検査および／または治療装置を介して同様に自動的に表示され、使用者によって選択可能である。
【００１７】
この関係において言及するに、医学的検査および／または治療装置は、その構成がどうであれ当然適切なコンピュータ装置並びに記憶装置を持っており、記憶装置には、出力可能であるとして上述したとおり、種類がどうであれ全ての重要な活動と、種類がどうであれその他の情報とが記憶されている。コンピュータ装置を介して、当該機械活動の開始および終了の検出並びに表示すべき画像情報および費用などの選択も行なわれる。コンピュータは重要な情報をネットワーク内で伝達することもできる。
【００１８】
更に、医学的検査および／または治療装置は、特にメニュー表示の枠内において、非機械的に実施された活動、消費材、あるいはその他の検査および／または治療上重要な作業に対する使用者側で入力可能な情報を捕捉し、医学的検査および／または治療装置側に保存されたまたは使用者側で入力可能である情報固有の費用を捕捉し処理し指示するように構成されているとよい。従って、本発明のこの実施態様によれば、医師には、付加的に、何らかで費用上重要である固有の情報を入力する可能性が与えられる。この関係において医学的検査および／または治療装置側の提案に対するあり得る変更も実施可能である。例えば機械活動に必然的に付属する非機械活動として造影剤分量の投与が出力され、費用計算上見積もられると、医師にとっては、本発明のこの構成に従って、例えば２造影剤分量または３造影剤分量を投与したことを指示できる可能性が存在する。変更情報を表す相応の情報はそれに応じて費用計算に考慮される。医師は、このようにして、検査／治療の前段階において、例えば場合によってはあり得る作業、例えば相談や準備協議等を入力することもできる。
【発明を実施するための最良の形態】
【００１９】
以下における図面に基づく実施例の説明から本発明の他の利点、特徴および詳細を明らかにする。
図１は本発明による医学的検査および／または治療装置の原理図を示し、
図２は費用計算ための経過例を説明するためのフローチャートを示し、
図３は費用計算後における画面表示の原理図を示す。
【００２０】
図１は任意の種類であり得る本発明による医学的検査および／または治療装置１を示す。この医学的検査および／または治療装置１としては、磁気共鳴装置、コンピュータ断層撮影装置、Ｘ線装置または超音波装置が考えられ得る。基本的にはこのような医学的検査および／または治療装置１は検査部２を含む。検査部２は画像撮影に役立ち、医学的検査および／または治療装置１の実施に応じて構成されている。検査部２は例えば磁気共鳴装置の検査部、Ｘ線装置のＸ線放射器およびＸ線検出器等である。更に、コンピュータ装置３が設けられており、これは、例えば装置１全体の運転の制御に用いられるが、本発明による医学的検査および／または治療装置１では費用上重要な活動を検出し、検出および費用の結果をモニタ４に出力するためにも用いられる。モニタ４には、例えば撮影された検査画像も出力される。このためにコンピュータ装置３は、検査または治療または画像データ処理または画像データの文書化の枠内における機械活動の開始および終了検出装置５を有する。その機械活動は、検査部２または例えばコンピュータ装置３に付設された画像メモリおよび／または画像出力装置６を介して行なうことができる。更に、記憶装置７が設けられており、記憶装置７には、一方では、自動的に捕捉可能な機械活動および非機械活動に対する詳細情報や、該当消費材の情報あるいはその他の治療または検査上重要な情報が記憶されている。更に、これらのデータに、それぞれの特別な費用に対する相応のデータが割り付けられ、すなわち機械で実施可能な各作業には相応の費用率が格納され、使用された消費材に対しては相応の費用投入が存在する。コンピュータ装置３は、ここで、機械的に捕捉された活動に対して相応の費用を計算し、対応して行なわれた非機械活動や消費材などに対して相応の費用を計算し、集計してモニタ４に出力する。
【００２１】
図２は、例えば磁気共鳴装置により実施された画像撮影の枠内において場合によっては生じ得る個別費用を算出するための流れを原理図の形で示す。
【００２２】
時点ｔ1で機械活動つまり例えば画像撮影が開始する。開始時点は、ここでは、開始した画像撮影がいつ終了するかを連続的にチェックする機械活動の開始および終了検出装置５の始動時点である。これは時間的間隔Δｔ後に時点ｔ2で発生する。機械活動の開始および終了検出装置５は画像撮影が終了したという相応のトリガ信号を得る。
【００２３】
ここで、記憶装置７からさまざまのデータを検出するためにコンピュータ装置３による一連の算出活動が行なわれる。一方ではコンピュータ装置３はどの機械活動が実施されたかを識別する。すなわちコンピュータ装置３は画像撮影が特定の運転または設定パラメータを用いて行なわれたことを自動的に識別する。ここでまずこの終了した機械活動に関する費用が記憶装置７から読出される。
【００２４】
それに並行して、例えば実施された機械活動と関連して同様に必然的にまたは高い確率で実施されたかまたは近いうちに実施されねばならない非機械活動が求められる。これらの非機械活動は任意の性質のものであってよく、一般には医師または医療技術従事者によって実施される。非機械活動としては、例えば医薬の投与および画像撮影に必要であった薬剤の投与、あるいは造影剤などの投与を挙げることができる。
【００２５】
引続いて、これらの求められた非機械活動がモニタ４に出力される。ここで医師はモニタ４において、表示された非機械活動のうちどれを今実際に実施したかを選択する。システムによって多分実施されたであろうとして判断された或る一つのまたはその他の活動が全く実施されなかったことがあり得る。このことが医師によって相応に選択される。この段階で医師は表示された活動に対する相応の使用者側情報も入力することができる。医師が、例えば医学的検査および／または治療装置１側に表示された１造影剤分量の代わりに２造影剤分量を投与した場合、このことが相応に入力される。このために医師はモニタ４に表示され全ての出力情報を含むメニューを操作することができる。従って、医師は、例えば「造影剤」の欄に、２分量を投与したことを入力する。医師は、ここで、例えば、実施された画像撮影が一般的にコイル交換を必要とするかぎり、画像撮影前に行なったコイル交換のような他の活動も選択することができる。医師が選択を行ない、場合によって行なわれ得る入力を完全に入力したならば、コンピュータ装置３は個々の非機械活動に関する費用を計算する。
【００２６】
非機械活動の出力に並行してまたはこれに続いて、実施された機械活動にとって考慮の対象になり場合によってはあり得る消費材情報がコンピュータ装置３により記憶装置７から読出されて表示される。この場合にも、どの消費材が今実際に使用されたかについて使用者側の選択が行なわれる。これは同様にメニュー表示内で行なわれる。このステップの終了後またはこのステップに並行して、消費材固有の個別費用の計算が行なわれる。
【００２７】
最後に医師に対して、同様に並行または時間的に後に続いて、検査または治療上重要な活動に関する、場合によってあり得る情報が記憶装置７からの前もっての選択に基づいて表示される。これらの情報は、例えば個人固有の情報であり、例えば実施された機械活動と関して医療技術従事者が要した時間である。
【００２８】
全ての個別の費用項目が計算された後に、これらはメニュー表示内で患者または治療医師に対してモニタ４に出力される。ここで例えば他の機械活動、例えばＣＤまたはＤＶＤのような携行可能な記憶媒体への撮影画像の出力が実施される場合、この機械作業についての開始時点および終了時点が機械活動の開始および終了検出装置５によって新たに検出され、これに従って機械活動の種類の識別後に記憶装置７から新たに固有の活動費用、つまりここではＣＤへの画像データの記憶および出力に関する費用が計算され、既に表示されている活動へ出力される。
【００２９】
図３は、種々の機械活動、非機械活動およびその他の作業／活動、それらの個別費用並びに全費用が表示されている画面を原理図の形で示す。
【００３０】
「活動」の項目の下には、まずＭＲ測定の測定時間すなわち磁気共鳴測定の測定時間の表示があり、これは１時間（１ｈ）である。「費用」の項目の下には、分（ｍｉｎ）の測定時間当たりに２．５０ユーロ（ＥＵＲ）のレベルの費用が生じることが示されている。従って、実施された測定（つまり画像撮影）の全費用は１５０ユーロ（ＥＵＲ）である。
【００３１】
次の活動欄は「造影剤」である。これは非機械活動であるが、しかし実施されたＭＲ測定の自動検出された種類に関しては十中八九の確率で実施されたはずである。活動の後には、医師が実際に造影剤を投与した場合に、医師によって例えばモニタカーソルを介して選択可能であるメニュー欄がある。すなわち、医師は能動的にこの活動を費用上重要であるとして示すことができる。これは欄内のチェック印によって示されている。しかしながら、ここで医師は１造影剤分量だけでなく、２造影剤分量を投与した。これに続くメニュー欄において、医師はこれを適当なキーボード等を介して入力することができる。ここでは「２分量」という情報が指定される。「費用」の項目の下には１分量当たり５ユーロ（ＥＵＲ）の費用記入があるので、造影剤投与について１０ユーロ（ＥＵＲ）の総額が生じる。
【００３２】
次の活動欄は「コイル交換」である。ＭＲ測定の医師は特別のコイルが使用されなければならなかったことを喚起する。医師はこの活動を非機械活動として実施し、小さなボックス内への選択情報の記入によって示し、チェック印により表示した。コイル交換に関する費用は「費用」の項目に示されているように８ユーロ（ＥＵＲ）である。
【００３３】
更に、自動的に行われた他の機械活動として、撮影されたＭＲ画像のフィルムおよびＣＤへの出力が行なわれた。それぞれの費用はフィルム出力に関する５ユーロ（ＥＵＲ）とＣＤ出力に関する１２ユーロ（ＥＵＲ）である。この機械活動は、ＭＲ測定と同様に自動的に捕捉され、選択可能性はここでは存在しない。
【００３４】
「活動」の項目の下における最後になおも「時間ＭＴＡ」という欄が記入されている。これは検査または治療上重要な情報であって、これは医師によって選択することができ、図示の例ではチェック記号が示している。次の欄には、画像撮影中およびそれにともない完結した検査中に０．５時間（０．５ｈ）ＭＴＡが要したことを記入する。この情報も医師によって画面で記入される。「費用」の項目の下には、ここではＭＴＡ活動に関して５０ユーロ（ＥＵＲ）の時間料金が指示され、それにより勤務した半時間に関して２５ユーロ（ＥＵＲ）の費用が生じる。
【００３５】
最後に、この実施例において実施された全活動に関して積算された２１０ユーロ（ＥＵＲ）の総費用が表示されている。
【００３６】
図２に示したような機械活動の終了後の費用計算の代わりに、機械活動の終了前での連続的な費用計算も考えられ得る。すなわち費用を発生した活動または情報が早期の段階で捕捉され、これらが例えば連続的にまたは機械活動の終了の検出後に初めて出力される。
【００３７】
図２および図３は単に実施例を示しているにすぎず、何らかの形で限定をすべきではないことは自明である。勿論、何らかで費用計算上に重要である任意の多数の他の活動、作業あるいは情報が収集可能または入力可能である。これは使用された装置並びに実施された活動の種類に必然的に依存する。
【図面の簡単な説明】
【００３８】
【図１】本発明による医学的検査および／または治療装置の原理図
【図２】費用計算ための経過例を説明するためのフローチャート
【図３】費用計算後における画面表示の原理図
【符号の説明】
【００３９】
１        医学的検査および／または治療装置
２        検査部
３        コンピュータ装置
４        モニタ
５        機械活動の開始および終了検出装置
６        画像メモリおよび／または画像出力装置
７        記憶装置
【図１】
2005293588.tif 000003
【図２】
2005293588.tif 000004
【図３】
2005293588.tif 000005